(57)【要約】【課題】  本発明は、仕切部材を連結する構造を簡易にし、量産性、保形性に優れると共に、小型の部品等の物品が容器内において移動して偏らないよう区画室を独立させた仕切部材を提供する。【解決手段】複数の第１仕切板と複数の第２仕切板とが共に起立した状態で相互に交差して連結される低発泡材若しくはプラスチック段ボール片からなる仕切部材において、仕切部材は第１仕切板、第２仕切板及び底板からなり、下端縁部から上端に向けて延びる係合溝を具備する第１仕切板と、上端縁部から下端に向けて延びる係合溝を具備する第２仕切板とを、相互に交差させ係合溝にて連結した状態で、当該第１仕切板及び第２仕切板における上端面若しくは下端面のいずれかに底板を熱溶着にて固着したことを特徴とする仕切部材。【選択図】  図１
2010132299.tif 000002
【特許請求の範囲】
【請求項１】
複数の第１仕切板と複数の第２仕切板とが共に起立した状態で相互に交差して連結される低発泡材若しくはプラスチック段ボール片からなる仕切部材において、
仕切部材は第１仕切板、第２仕切板及び底板からなり、
下端縁部から上端に向けて延びる係合溝を具備する第１仕切板と、
上端縁部から下端に向けて延びる係合溝を具備する第２仕切板とを、
相互に交差させ係合溝にて連結した状態で、当該第１仕切板及び第２仕切板における上端面若しくは下端面のいずれかに底板を熱溶着にて固着したことを特徴とする仕切部材。
【請求項２】
底板と対向する位置における第１仕切板及び第２仕切板の端面を加熱溶融し、当該端面を一部溶融させたことを特徴とする請求項１に記載の仕切部材。
【請求項３】
底板と対向する位置における第１仕切板及び第２仕切板の交点箇所を加熱溶融し、当該箇所を一部溶融させたことを特徴とする請求項１に記載の仕切部材。
【発明の詳細な説明】
【技術分野】
【０００１】
本発明は、箱等の容器内に収納する物品の仕切りに使用される仕切部材に関するものである。
【背景技術】
【０００２】
従来から、紙製の段ボール等からなる細長い仕切り片に適当な切欠き部を設けたものを、適当に縦横方向に十字状に複数個組み合わせた仕切部材が公知である。
しかし、当該構造においては、簡便に組み付けられるものではあるが、抜け止め等に対しては弱く、しっかりと固定されていない為、バラけ易いものであった。
【０００３】
このような問題を解決する為に、複数の仕切板を互いに直角に交差連結して構成する仕切体であって、一方の仕切板の先端部の側縁から内方に向かって切り込みを形成して、この仕切板の先端部に、前記切り込みと、前記仕切板の長さ方向に沿った折り縁とを介してこの仕切板の板面方向と交差する方向に折曲自在な折曲片部を設け、他方の仕切板の板面には、前記折曲片部を前記一方の仕切板の板面方向と交差する方向に折曲した状態ではじめてこの一方の仕切板の先端部を嵌挿できる形状の係止孔を設け、この係止孔に前記一方の仕切板の先端部を嵌挿して前記折曲片部を戻り復帰させることで抜け止め状態となり前記一方の仕切板と他方の仕切板とが交差連結されるように構成したことを特徴とする仕切部材が公知である（例えば、特許文献１参照）。
【特許文献１】特許３８１６０４９号公報
【発明の開示】
【発明が解決しようとする課題】
【０００４】
当該仕切部材は、仕切板を組み付け連結する構造であって、簡便に組み付けでき組み付け作業性に優れ、構造も簡易で量産性に優れると共に、確実に抜け止め係止連結して抜け止め保持力が強く、保形性に優れ、偏平折り畳み収納しても再び枠状復帰させても組み付けが外れず保形耐久性にも優れたものである。しかし、一方で、折曲片部を戻り復帰させることで抜け止め状態とする構造であるので、折曲片部を折曲させた状態にて係止孔に嵌挿させなければならず、組み付け作業性の煩雑さが懸念される。
また、箱等の容器内に収納され、小型の部品等を収納した際には、容器の搬送時における振動等によって、仕切部材と容器の底部とに隙間が生じ、小型の部品が別の区画室へと移動してしまい、別部品に混入してしまう虞もある。
【０００５】
そこで、本発明はこのような問題点を解決するものであって、仕切部材を連結する構造を簡易にし、量産性、保形性に優れると共に、小型の部品等の物品が容器内において移動して偏らないよう区画室を独立させた仕切部材を提供することを課題とする。
【課題を解決するための手段】
【０００６】
前記問題点を解決するために、本発明の請求項１に記載の発明の仕切部材は、複数の第１仕切板と複数の第２仕切板とが共に起立した状態で相互に交差して連結される低発泡材若しくはプラスチック段ボール片からなる仕切部材において、仕切部材は第１仕切板、第２仕切板及び底板からなり、下端縁部から上端に向けて延びる係合溝を具備する第１仕切板と、上端縁部から下端に向けて延びる係合溝を具備する第２仕切板とを、相互に交差させ係合溝にて連結した状態で、当該第１仕切板及び第２仕切板における上端面若しくは下端面のいずれかに底板を熱溶着にて固着したことを特徴とするものである。
【０００７】
また、本発明の請求項２に記載の発明の仕切部材は、請求項１に記載の仕切部材において、底板と対向する位置における第１仕切板及び第２仕切板の端面を加熱溶融し、当該端面を一部溶融させたことを特徴とするものである。
【０００８】
また、本発明の請求項３に記載の発明の仕切部材は、請求項１に記載の仕切部材において、底板と対向する位置における第１仕切板及び第２仕切板の交点箇所を加熱溶融し、当該箇所を一部溶融させたことを特徴とするものである。
【発明の効果】
【０００９】
請求項１に記載の仕切部材に係る発明では、下端縁部から上端に向けて延びる係合溝を具備する第１仕切板と、上端縁部から下端に向けて延びる係合溝を具備する第２仕切板とを、相互に交差させ係合溝にて連結させる構造とするので、簡易なものとすることができ、量産性に優れたものとすることができる。
また、当該連結させた状態にて、当該第１仕切板及び第２仕切板における上端面若しくは下端面のいずれかに底板を熱溶着にて固着することから、仕切部材を箱等の容器内に収納した際には、物品の収納空間とされる区画室は、第１仕切板、第２仕切板及び底板によって完全に独立した状態となるので、容器の搬送時における振動等によって、仕切部材と底板とに隙間が生じ、小型の部品が別の区画室へと移動してしまい、別部品に混入してしまう虞もない。また、区画室に収納されるモータ、コンデンサ、リード線付インダクタ等の電子部品等が細い線材又は薄い板材を有する場合であっても、仕切部材と底板とに生じた隙間から当該線材のみが別の区画室へ移動され、当該電子部品等を区画室から取り出す際に、区画室によって当該線材が切断されてしまう虞もなくなる。更に、容器が段ボール箱等である場合には、区画室に収納される薄い板材等が、段ボール箱の底部のフラップ部内に入り込む虞もなくなる。
【００１０】
請求項２及び請求項３に記載の仕切部材に係る発明では、底板と対向する位置における第１仕切板及び第２仕切板の端面、若しくは第１仕切板及び第２仕切板の交点箇所を加熱溶融し、当該端面若しくは交点箇所を一部溶融させるので、少なくとも交差する第１仕切板及び第２仕切板を交点にて固着することができるので、区画室の保形性を優れたものとすることができる。これにより、区画室が変形して物品を収納させにくいということもなくなる。
また、少なくとも第１仕切板及び第２仕切板の交点を加熱溶融にて固着させておき、区画室の上端部を強固なものとしておくことで、上方に配置される底板を安定した状態で載置することができる。
【発明を実施するための最良の形態】
【００１１】
以下、本発明の実施の形態における仕切部材を図面に基づいて説明する。
【００１２】
図１は、本発明の実施例に係る仕切部材の斜視図である。図２は、本発明の実施例に係る仕切部材を構成する一部材の斜視図である。図３は、本発明の実施例に係る切欠きを設けた仕切部材の斜視図である。図４は、本発明の実施例に係る仕切部材を容器内に複数個配置した状態の正面断面図である。
【実施例】
【００１３】
本願発明の実施の形態に係る仕切部材１は、図１に示すように、ポリプロピレン樹脂からなる低発泡材の第１仕切板２、第２仕切板３及び底板４とから構成されるものである。
【００１４】
図２に示すように、第１仕切板２には下端縁部から上端に向けて延びる複数の係合溝２ａが形成されている。一方、第２仕切板３には、第１仕切板２と交会した状態にて前記係合溝２ａに対応するよう、上端縁部から下端に向けて延びる複数の係合溝３ａが形成されている。当該係合溝２ａ、３ａは、後述する区画室５の形、大きさによって、等間隔に形成したり、様々な寸法に形成できることはもちろんである。
【００１５】
前記第１仕切板２と第２仕切板３との係合は、第２仕切板３の上方に第１仕切板２を配置し、相互の係合溝２ａ、３ａを係合させることで行われる。また、図１に示すように、対向する２枚の第１仕切板２及び第２仕切板３にて形成される空間は、物品を収納する為の区画室５とされる。
【００１６】
底板４は、最も外側に位置する第１仕切板２及び第２仕切板３における上端面、若しくは下端面が形成する平面と略同程度の大きさに形成され、第１仕切板２及び第２仕切板３の上端面、若しくは下端面に熱盤等の熱溶着手段によって固着される。
【００１７】
また、底板４と対向する底板４を有しない側の第１仕切板２及び第２仕切板３の端面においても、前記熱溶着手段により加熱溶融させておくことが望ましい。これにより、交差する第１仕切板２及び第２仕切板３の交点箇所が一部溶融し、後に固化することで、第１仕切板２及び第２仕切板３の両者を交点にて固着することができるので、区画室５の保形性を優れたものとすることができる。更に、第１仕切板２及び第２仕切板３の交点箇所のみを一部溶融させることが効率的であり望ましい。
【００１８】
このようにして形成される仕切部材１は、図３に示すように、区画室５に収納する物品を取り出し易くする為に、第１仕切板２の上端部に切欠き６を設けることもできる。当該切欠き６は、第２仕切板３に設けることもできるし、当該形状は、半円形状、楕円形状、四角形状のいずれとすることもできるし、これらの形状に制限されるものではない。
【００１９】
また、仕切部材１を構成する第１仕切板２、第２仕切板３及び底板４は、ポリプロピレン樹脂を原材料とし、対向する二枚の構成板間に平行する複数のリブを設けて一体に成形されたプラスチック段ボール片を用いることもできる。
【００２０】
以上、説明した本発明の実施例に係る仕切部材１によれば、第１仕切板２及び第２仕切板３を連結する構造を複雑な構造とせず、相互の係合溝２ａ、３ａを係合させる構造とするので、簡易なものとすることができ、量産性に優れたものとすることができる。
また、底板４を第１仕切板２及び第２仕切板３の上端面、若しくは下端面に熱溶着したことから、仕切部材１を箱等の容器内に収納した際には、区画室５は完全に独立した状態となるので、容器の搬送時における振動等によって、仕切部材１と底板４とに隙間が生じて、小型の部品が別の区画室５へと移動してしまい、別部品に混入してしまう虞もない。また、区画室５に収納されるモータ、コンデンサ、リード線付インダクタ等の電子部品等が細い線材又は薄い板材を有する場合であっても、仕切部材１と底板４とに生じた隙間から当該線材のみが別の区画室５へ移動され、当該電子部品等を区画室５から取り出す際に、区画室５によって当該線材が切断されてしまう虞もなくなる。更に、容器が段ボール箱等である場合には、区画室５に収納される薄い板材等が、段ボール箱の底部のフラップ部内に入り込む虞もなくなる。
更に、底板４を有しない側の第１仕切板２及び第２仕切板３の端面においても、加熱溶融させ、第１仕切板２及び第２仕切板３の交点を固着するので、区画室５の保形性を優れたものとすることができる。これにより、区画室５が変形して物品を収納させにくいということもなくなる。
また、仕切部材１は底板４を有することから、図４に示すように、容器７内に複数個の仕切部材１を積重させることもできる。この際、少なくとも第１仕切板２及び第２仕切板３の交点を加熱溶融にて固着させておき、区画室５の上端部を強固なものとしておくことで、上方に配置される底板４を安定した状態で載置することができる。
【図面の簡単な説明】
【００２１】
【図１】本発明の実施例に係る仕切部材の斜視図である。
【図２】本発明の実施例に係る仕切部材を構成する一部材の斜視図である。
【図３】本発明の実施例に係る切欠きを設けた仕切部材の斜視図である。
【図４】本発明の実施例に係る仕切部材を容器内に複数個配置した状態の正面断面図である。
【符号の説明】
【００２２】
１      仕切部材
２      第１仕切板
２ａ    係合溝
３      第２仕切板
３ａ    係合溝
４      底板
５      区画室
６      切欠き
７      容器
【図１】
2010132299.tif 000003
【図２】
2010132299.tif 000004
【図３】
2010132299.tif 000005
【図４】
2010132299.tif 000006